(57)【特許請求の範囲】
【請求項１】
照明器具を制御する照明制御部と、
前記照明器具を制御するための指令を前記照明制御部に供給する指令部と、
前記指令を表示する表示部及び前記指令を選択する選択部を有するインターフェース部とを有し、
前記指令はユーザの心理状態を表し、
前記インターフェース部は、前記照明器具により実現される照明状態に対応したユーザの心理空間を前記表示部により表示し、前記指令を、当該指令が表す心理状態に応じた前記心理空間中の座標位置に重畳させて表示し、当該表示された指令を前記選択部により選択すること
を特徴とする照明制御システム。
【請求項２】
ユーザの心理状態を入力する入力部を有し、
前記インターフェース部は、前記入力部により入力した心理状態を、当該心理状態に応じた前記心理空間中の座標位置に表示すること
を特徴とする請求項１に記載の照明制御システム。
【請求項３】
前記入力部は、使用者の心理状態を検知する検知部であり、
前記インターフェース部は、前記検知部により検知した心理状態を、当該心理状態に応じた前記心理空間中の座標位置に表示すること
を特徴とする請求項２に記載の照明制御システム。
【請求項４】
前記指令部は、前記入力部によりユーザの心理状態が入力された場合に、前記選択部により選択された指令を前記照明制御部に供給する前に、前記入力部により入力された心理状態と前記選択部により選択された指令が表す心理状態との間の心理状態を表す事前指令を前記照明制御部に供給することを特徴とする請求項２又は請求項３に記載の照明制御システム。
【請求項５】
前記指令部は、前記入力部により入力された心理状態と前記選択部により選択された指令が表す心理状態との間の複数の心理状態のうち、前記入力部により入力された心理状態に近い心理状態から前記選択部により選択された指令が表す心理状態に近づくように順次指令を前記照明制御部に供給することを特徴とする請求項４に記載の照明制御システム。
【請求項６】
前記指令は、前記選択部により複数選択可能であり、
前記選択部により選択される複数の指令と、当該複数の指令の前記照明制御部への供給順序とを記憶する記憶部を有し、
前記指令部は、前記記憶部に記憶された供給順序に従って複数の指令を前記照明制御部に供給すること
を特徴とする請求項１乃至請求項３の何れか一項に記載の照明制御システム。
【請求項７】
前記インターフェース部の前記表示部及び前記選択部は、タッチパネルにより構成されることを特徴とする請求項１乃至請求項６の何れか一項に記載の照明制御システム。
【請求項８】
照明器具を制御する照明制御部と、
前記照明器具を制御するための指令を前記照明制御部に供給する指令部とを有し、
前記指令はユーザの心理状態を表し、
前記照明器具により実現される照明状態に対応したユーザの心理空間を表示装置により表示させ、前記指令を、当該指令が表す心理状態に応じた前記心理空間中の座標位置に重畳させて表示させ、当該表示された指令を選択装置により選択させること
を特徴とする照明制御装置。
【請求項９】
照明器具を制御するための指令を表示する表示部及び前記指令を選択する選択部を有するインターフェース部を有し、
前記指令はユーザの心理状態を表し、
前記インターフェース部は、前記照明器具により実現される照明状態に対応したユーザの心理空間を前記表示部により表示し、前記指令を、当該指令が表す心理状態に応じた前記心理空間中の座標位置に重畳させて表示し、当該表示された指令を前記選択部により選択すること
を特徴とする照明制御用端末。
【発明の詳細な説明】
【技術分野】
【０００１】
本発明は、照明器具を制御する照明制御システム、照明制御装置及び照明制御用端末に関する。
【背景技術】
【０００２】
照明シーンを設定するユーザインターフェースとして、下記の特許文献１に記載されたボタン方式のものが知られている。【０００３】
しかしながら、上述した特許文献１に記載された技術では、単なるボタン操作によるインターフェースであるので、照明シーンとユーザの心理状態との対応が理解しづらい。したがって、照明シーンを設定するために直感的な操作がしにくいという問題がある。【０００４】
そこで、本発明は、上述した実情に鑑みて提案されたものであり、心理状態に合った照明シーンを簡単に設定できる照明制御システム、照明制御装置及び照明制御用端末を提供することを目的とする。
【先行技術文献】
【特許文献】
【０００５】
【特許文献１】特表２０１１−５１０４４３号公報
【発明の概要】
【０００６】
本発明の第１の態様に係る照明制御システムは、照明器具を制御する照明制御部と、前記照明器具を制御するための指令を前記照明制御部に供給する指令部と、前記指令を表示する表示部及び前記指令を選択する選択部を有するインターフェース部とを有し、前記指令はユーザの心理状態を表し、前記インターフェース部は、前記照明器具により実現される照明状態に対応したユーザの心理空間を前記表示部により表示し、前記指令を、当該指令が表す心理状態に応じた前記心理空間中の座標位置に重畳させて表示し、当該表示された指令を前記選択部により選択することを特徴とするものである。
【０００７】
本発明の第２の態様に係る照明制御システムは、上記第１の態様の照明制御システムであって、ユーザの心理状態を入力する入力部を有し、前記インターフェース部は、前記入力部により入力した心理状態を、当該心理状態に応じた前記心理空間中の座標位置に表示することを特徴とする。
【０００８】
本発明の第３の態様に係る照明制御システムは、上記第２の態様の照明制御システムであって、前記入力部は、使用者の心理状態を検知する検知部であり、前記インターフェース部は、前記検知部により検知した心理状態を、当該心理状態に応じた前記心理空間中の座標位置に表示することを特徴とする。
【０００９】
本発明の第４の態様に係る照明制御システムは、上記第２又は第３の態様の照明制御システムであって、前記指令部は、前記入力部によりユーザの心理状態が入力された場合に、前記選択部により選択された指令を前記照明制御部に供給する前に、前記入力部により入力された心理状態と前記選択部により選択された指令が表す心理状態との間の心理状態を表す事前指令を前記照明制御部に供給することを特徴とする。
【００１０】
本発明の第５の態様に係る照明制御システムは、上記第４の態様の照明制御システムであって、前記指令部は、前記入力部により入力された心理状態と前記選択部により選択された指令が表す心理状態との間の複数の心理状態のうち、前記入力部により入力された心理状態に近い心理状態から前記選択部により選択された指令が表す心理状態に近づくように順次指令を前記照明制御部に供給することを特徴とする。
【００１１】
本発明の第６の態様に係る照明制御システムは、上記第１乃至第３の何れかの態様の照明制御システムであって、前記指令は、前記選択部により複数選択可能であり、前記選択部により選択される複数の指令と、当該複数の指令の前記照明制御部への供給順序とを記憶する記憶部を有し、前記指令部は、前記記憶部に記憶された供給順序に従って複数の指令を前記照明制御部に供給することを特徴とする。
【００１２】
本発明の第７の態様に係る照明制御システムは、上記第１乃至第６の何れかの態様の照明制御システムであって、前記インターフェース部の前記表示部及び前記選択部は、タッチパネルにより構成されることを特徴とする。
【００１３】
本発明の第８の態様に係る照明制御装置は、照明器具を制御する照明制御部と、前記照明器具を制御するための指令を前記照明制御部に供給する指令部とを有し、前記指令はユーザの心理状態を表し、前記照明器具により実現される照明状態に対応したユーザの心理空間を表示装置により表示させ、前記指令を、当該指令が表す心理状態に応じた前記心理空間中の座標位置に重畳させて表示させ、当該表示された指令を選択装置により選択させることを特徴とする。
【００１４】
本発明の第９の態様に係る照明制御用端末は、照明器具を制御するための指令を表示する表示部及び前記指令を選択する選択部を有するインターフェース部を有し、前記指令はユーザの心理状態を表し、前記インターフェース部は、前記照明器具により実現される照明状態に対応したユーザの心理空間を前記表示部により表示し、前記指令を、当該指令が表す心理状態に応じた前記心理空間中の座標位置に重畳させて表示し、当該表示された指令を前記選択部により選択することを特徴とする。
【図面の簡単な説明】
【００１５】
【図１】図１は、本発明の一実施形態として示す照明制御システムの構成を示すブロック図である。
【図２】図２は、本発明の一実施形態として示す照明制御システムにおいて、心理空間と照明シーンとの関係を示す図であり、（ａ）は心理空間、（ｂ）は照明シーンＡ、（ｃ）は照明シーンＢ、（ｄ）は照明シーンＣ、（ｅ）は照明シーンＤ、である。
【図３】図３は、本発明の一実施形態として示す照明制御システムにおいて、照明シーンを設定して心理空間に対応した心理状態を分析するための説明図であり、（ａ）はシーン設定された状態を示し、（ｂ）は気分計測の内容を示し、（ｃ）はシーン心理分析した結果としての心理空間を示す。
【図４】図４は、本発明の一実施形態として示す照明制御システムにおいて、データベース部に記憶されるデータベースの例を示す図である。
【図５】図５は、本発明の一実施形態として示す照明制御システムの他の構成を示すブロック図である。
【図６】図６は、本発明の一実施形態として示す照明制御システムの更に他の構成を示すブロック図である。
【図７】図７は、本発明の一実施形態として示す照明制御システムにおいて、現在の心理状態を含む心理空間を示す図である。
【図８】図８は、本発明の一実施形態として示す照明制御システムにおいて、複数の指令が選択されたときの指令の変化例を示す図である。
【図９】図９は、本発明の一実施形態として示す照明制御システムにおいて、複数の指令が選択されたときの指令の他の変化例を示す図である。
【図１０】図１０は、心理空間における気分を異なる形態で表示した例を示す図である。
【発明を実施するための形態】
【００１６】
以下、本発明の実施の形態について図面を参照して説明する。
【００１７】
本発明の実施形態として示す照明制御システムは、例えば図１に示すように構成される。この照明制御システムは、照明制御装置１と、複数の照明器具２ａ，２ｂ，・・・，２ｎ（以下、総称する場合には単に「照明器具２」と呼ぶ。）とを含む。
【００１８】
照明器具２は、ユーザが居る空間に設置されている。これらの照明器具２ａ，２ｂ，・・・，２ｎは、例えば、部屋の天井、壁面、床面等に設けられたものが挙げられる。具体的には、シーリングライト、ブラケットライト、ダウンライト、ペンダントライト、フロアライト、ホリゾンタルライト等が挙げられる。これら照明器具２は、照明制御装置１と接続されている。照明器具２は、照明制御装置１の制御信号によって動作し、点灯又は消灯、調光度（明るさ）、色温度（色合い）等が制御される。
【００１９】
照明制御装置１は、複数の照明器具２に接続されている。照明制御装置１は、複数の照明器具２に制御信号を供給する。照明制御装置１は、インターフェース部１１、指令部１２、照明制御部１３、データベース部１４を含む。なお、この照明制御装置１は、例えば、設備組込みタイプである。照明制御装置１は、表示画面が壁面から露呈され、その壁面内に制御用ＣＰＵや通信Ｉ／Ｆが組み込まれて構成されている。
【００２０】
照明制御部１３は、複数の照明器具２に対して制御信号を供給する。
【００２１】
指令部１２は、照明制御部１３によって照明器具２に制御信号を出力させて照明器具２の動作を制御するための指令を生成する。指令部１２は、生成した指令を照明制御部１３に供給する。
【００２２】
インターフェース部１１は、表示部２１、選択部２２を含む。このインターフェース部１１は、例えばタッチパネルにより構成されている。インターフェース部１１は、照明制御システムのユーザに対して照明シーンを選択するための情報を表示部２１によって表示する。インターフェース部１１は、選択部２２に対して操作が行われる。この照明シーンを選択するための情報は、照明器具２により実現される照明状態に対応したユーザの心理空間である。この心理空間には、照明シーンを制御するための指令が対応づけられている。
【００２３】
インターフェース部１１は、表示部２１に指令を表示させた状態で、選択部２２により心理空間、すなわち指令が選択される。これにより、インターフェース部１１は、選択された指令を指令部１２に供給し、指令部１２から照明制御部１３に指令を供給させる。
【００２４】
指令部１２は、インターフェース部１１から指令が供給させると、照明制御部１３によって照明器具２を制御させる。指令部１２は、インターフェース部１１から供給された指令に応じて、データベース部１４を参照する。このデータベース部１４には、照明シーンに応じた照明器具２の点灯状態が格納されている。データベース部１４は、照明器具２の点灯状態を示す指令を照明制御部１３に供給する。
【００２５】
照明制御部１３は、指令部１２から供給された指令に応じて照明器具２を制御する。照明制御部１３は、指令部１２からの指令に応じて各照明器具２の点灯状態としての点灯又は消灯、明度、色合いを示す制御信号を生成する。照明制御部１３は、各照明器具２に制御信号を出力する。
【００２６】
これにより、照明制御システムは、照明制御装置１によって、ユーザの心理状態に応じた照明シーンとなるように照明器具２を制御する。
【００２７】
つぎに、上述したように動作する照明制御システムにおける具体的な動作について説明する。
【００２８】
このインターフェース部１１は、例えば図２（ａ）に示すように、照明器具２により実現される照明状態（照明シーン）に対応したユーザの心理空間１００を表示部２１により表示する。心理空間１００は、複数の心理状態を空間的に表したものである。図２（ａ）の心理空間１００は、心理状態としての覚醒感の座標軸１００ａと快適感の座標軸１００ｂとにより形成される２次元的な空間を表している。覚醒感と快適感の双方が高い心理状態の指令は、心理空間１００の右上象限の座標に位置される。覚醒感は低いが快適感が高い心理状態の指令は、心理空間１００の右下象限の座標に位置される。覚醒感は高いが快適感が低い心理状態の指令は、心理空間１００の左上象限の座標に位置される。覚醒感と快適感の双方が低い心理状態の指令は、心理空間１００の左下象限の座標に位置される。この図２に示す心理空間１００と指令１０１ａ〜１０１ｄとの関係は、図３に示すように、（ａ）の照明シーンの設定工程と、（ｂ）の気分計測工程と、（ｃ）のシーン心理分析工程によって設定することができる。この各工程については、後述する。
【００２９】
心理空間１００には、図２（ａ）に示したように、照明器具２を制御するための指令１０１ａ〜１０１ｄが重畳して表示される。指令１０１ａ〜１０１ｄは、ユーザの心理状態を表す。ユーザの心理状態は、例えば図２に示した「映画館にいる気分」である。指令１０１ａ〜１０１ｄは、当該指令が表す心理状態に応じた心理空間１００中の座標位置に表示される。この表示された指令１０１ａ〜１０１ｄは、選択部２２により選択される。これらの指令１０１ａ〜１０１ｄは、照明器具２の点灯状態を、心理状態に応じた照明シーンとさせる。
【００３０】
図２（ａ）の指令１０１ａは、照明器具２の点灯状態を、「すっきり気分」の照明シーンとさせる。この指令１０１ａは心理空間１００における右上象限の座標位置に表示される。この指令１０１ａに対応した空間の照明状態は、図２（ｂ）の照明シーンＡのようになる。この照明シーンＡは、例えば、照明器具２ａの明度が100%、照明器具２ｂの明度が100%、照明器具２ｃの明度が100%、照明器具２ｄの明度が100%、照明器具２ｅの明度が100%、照明器具２ｆの明度が100%となる。各照明器具の具体的な種類は以下のようになる。照明器具２ａはブラケットライト（角型タイプ）である。照明器具２ｂはブラケットライト（ラインタイプ）である。照明器具２ｃはダウンライトである。照明器具２ｄはペンダントライトである。照明器具２ｅはフロアライトである。照明器具２ｆはホリゾンタルライト２ｆである。
【００３１】
図２（ａ）の指令１０１ｂは、照明器具２の点灯状態を、「だんらん気分」の照明シーンとさせる。この指令１０１ｂは、心理空間１００における右上象限であって指令１０１ａよりも右下方の座標位置に表示される。この指令１０１ｂに対応した空間の照明状態は、図２（ｃ）の照明シーンＢのようになる。この照明シーンＢは、例えば、照明器具２ａの明度が70%、照明器具２ｂの明度が70%、照明器具２ｃの明度が70%、照明器具２ｄの明度が0%、照明器具２ｅの明度が100%、照明器具２ｆの明度が0%となる。
【００３２】
図２（ａ）の指令１０１ｃは、照明器具２の点灯状態を、「映画館にいる気分」の照明シーンとさせる。この指令１０１ｃは心理空間１００における右下象限の座標位置に表示される。この指令１０１ｃに対応した空間の照明状態は、図２（ｄ）の照明シーンＣのようになる。この照明シーンＣは、例えば、照明器具２ａの明度が40%、照明器具２ｂの明度が0%、照明器具２ｃの明度が0%、照明器具２ｄの明度が100%、照明器具２ｅの明度が100%、照明器具２ｆの明度が0%となる。
【００３３】
図２（ａ）の指令１０１ｄは、照明器具２の点灯状態を、「癒しの気分」の照明シーンとさせる。この指令１０１ｄは心理空間１００における右下象限であって指令１０１ｃよりも左下方の座標位置に表示される。この指令１０１ｄ対応した空間の照明状態は、図２（ｅ）の照明シーンＤのようになる。この照明シーンＤは、例えば、照明器具２ａの明度が40%、照明器具２ｂの明度が40%、照明器具２ｃの明度が80%、照明器具２ｄの明度が0%、照明器具２ｅの明度が0%、照明器具２ｆの明度が100%となる。
【００３４】
したがって、この照明制御システムは、図２（ａ）に示したように、指令１０１ａ〜１０１ｄを重畳させた心理空間１００を表示部２１によって表示した状態で、選択部２２によって指令１０１ａ〜１０１ｄが選択される。すると、指令は、インターフェース部１１から指令部１２に供給される。指令部１２は、インターフェース部１１から指令が供給されると、データベース部１４を参照する。データベース部１４には、図４に示すデータベースが記憶されている。
【００３５】
このデータベースは、ユーザの心理状態を示す各気分に、快適感を表す数値と、覚醒感を表す数値と、照明器具２ａ，２ｂ，・・・，２ｎの点灯状態とが対応付けられている。なお、心理空間１００を快適感と覚醒感との２軸１００ａ，１００ｂで表現しない場合には、他の感覚を表す数値であってもよい。
【００３６】
照明器具２の点灯状態は、照明シーンごとに、各照明器具２ａ，２ｂ，・・・，２ｎの調光度と、色温度とによって設定される。この調光度は、０〜１００％との間の数値で表される。色温度は、各照明器具２ａ，２ｂ，・・・，２ｎによって調整可能は色合いの範囲［Ｋ］で表される。
【００３７】
快適感を表す数値及び覚醒感を表す数値は、図３（ｂ）に示したように、照明シーンを設定した状態において行われるユーザの心理計測工程及び生理計測工程によって取得される。この心理計測工程及び生理計測工程は、同時に行うことが望ましい。また、複数のユーザに対して心理計測工程及び生理計測工程を行うことが望ましい。
【００３８】
心理計測は、快適感、覚醒感に関するアンケート（ＳＤ法（意味差判別法、セマンティック・ディファレンシャル法）など）によって実施される。生理計測は、中枢神経系（脳波、脳血流など）の計測、自律神経系（心電、皮膚電位など）の計測が含まれる。
【００３９】
この心理計測及び生理計測は、照明シーンごとに行われて、計測結果が取得される。この計測結果に基づいて、各照明シーンに対する心理状態としての覚醒感及び快適感が取得される。これにより、図３（ｃ）のように、心理空間中における照明シーンの心理状態を表す座標を取得できる。例えば、照明シーンＡでは、リラックスしている心理状態の座標位置を取得できる。照明シーンＢでは、リフレッシュしている心理状態の座標位置を取得できる。照明シーンＣでは、覚醒感と快適感がニュートラルであり安静した心理状態の座標位置を取得できる。
【００４０】
このように心理状態の座標位置を決定するために、快適感、覚醒感に対して、生理指標を説明変数とする重回帰式を構築する。下記のように、快適感の関数ｆ、覚醒感の関数ｇとすると、快適感及び覚醒感は下記のようになる。
【００４１】
快適感  ＝  ｆ（中枢指標、末梢指標）
覚醒感  ＝  ｇ（中枢指標、末梢指標）
快適感は、中枢神経系の指標と末梢系（自律神経系）の指標を用いて所定の関数ｆなる演算を行うことによって、数値として取得される。覚醒感は、中枢神経系の指標と末梢系（自律神経系）の指標を用いて所定の関数ｇなる演算を行うことによって、数値として取得される。実際には、ユーザが快適と感じるアンケート結果に対して、どのような生理計測結果が得られたかを取得する。そして、当該生理計測結果を用いて関数ｆ、ｇの演算を行い、得られた数値を、快適感及び覚醒感の数値とする。
【００４２】
これにより、心理空間１００における各種の気分に対応する照明器具２毎の照明条件の設定（調光度、色温度など）において、単なる心理評価に基づく条件設定ではなく、生理評価に基づくより客観的な条件設定が可能となる。
【００４３】
更に具体的には、快適感は下記の式１によって演算可能である。また、覚醒感は下記の式２によって演算可能である。式１，２におけるＡ１，Ｂ１，Ｃ１，Ａ２，Ｂ２，Ｃ２は定数である。
【００４４】
【数１】
0005842115.tif 000002
【００４５】
快適感を求める式１において、Ｘは中枢神経系の計測によって得られた脳波相関係数である。快適感は、一又は複数の脳波相関係数と当該脳波相関係数についての定数Ａ１とによって求めることができる。快適感は、原則として脳波相関係数のみを計測して数値化できる。ただし、快適感は、中枢神経系のパラメータとしての脳血流、脳波の左右差、β２パワー（脳波パワー）を計測して数値化してもよい。また、快適感は、中枢神経系の計測結果に加えて、自律系の計測結果としての心拍を用いて数値化してもよい。このように、脳波相関係数に加えて、他の中枢神経系の計測結果や自律系の計測結果を用いることによって、よりユーザの感覚に沿った快適感の数値化を行うことが可能となる。なお、この快適感の重回帰式における重相関係数Ｒは０．８４となる。
【００４６】
覚醒感は、式２のように、中枢神経系の計測によって得られたα２波パワー（脳波パワー）と当該脳波パワーについての定数Ａ２とによって求めることができる。覚醒感は、原則として脳波パワーのみを計測して数値化できる。ただし、覚醒感は、中枢神経系のパラメータとしての脳波の左右差、脳波相関係数を計測して数値化してもよい。また、快適感は、中枢神経系の計測結果に加えて、自律系の計測結果としての精神性発汗を用いて数値化してもよい。このように、脳波パワーに加えて、他の中枢神経系の計測結果や自律系の計測結果を用いることによって、よりユーザの感覚に沿った覚醒感の数値化を行うことが可能となる。なお、この覚醒感の重回帰式における重相関係数Ｒは０．６７となる。
【００４７】
以上のように、この照明制御システムによれば、ユーザの心理状態を表す指令を心理空間１００に重畳させて表示してユーザに選択可能とするので、複数の照明器具２が存在する場合であってもユーザが直感的に操作を行うことができる。したがって、この照明制御システムによれば、ユーザの心理状態に合った照明シーンを簡単に設定できる。
【００４８】
また、この照明制御システムによれば、インターフェース部１１をタッチパネルにより構成することによって、表示部２１としての表示画面に心理空間１００を表示すると共に、選択部２２を表示画面に内蔵できる。これにより、照明制御システムによれば、心理空間１００に重畳させて表示された指令を直感的に表示画面から選択させることができる。したがって、この照明制御システムによれば、より直感的に操作を行わせて照明シーンを設定させることができる。
【００４９】
更に、この照明制御システムは、図５に示すように、上述した照明制御装置１に備えられた機能のうち、インターフェース部１１の機能をリモートコントローラ３０として構成してもよい。この場合、照明制御装置１とリモートコントローラ３０とは赤外線通信や無線通信などによって信号の授受を行う。また、このリモートコントローラ３０は、宅内照明用リモコンに限らず、各種のモバイル機器であってもよい。これにより、例えば住宅内のソファなどに居ながら照明器具２の操作を可能とする。
【００５０】
このリモートコントローラ３０は、上述の表示部２１及び選択部２２を備える。このリモートコントローラ３０は、照明器具２を制御するための照明制御用端末となる。これにより、このリモートコントローラ３０は、照明器具２により実現される照明状態に対応したユーザの心理空間を表示部２１により表示し、指令を、当該指令が表す心理状態に応じた心理空間中の座標位置に表示する。そして、リモートコントローラ３０は、当該表示された指令を選択部２２により選択する。
【００５１】
また、リモートコントローラ３０を備えた照明制御装置１は、指令部１２、照明制御部１３を有することとなる。この照明制御装置１は、照明器具２により実現される照明状態に対応したユーザの心理空間を表示装置（リモートコントローラ３０）により表示させ、指令を、当該指令が表す心理状態に応じた心理空間中の座標位置に表示させる。そして、照明制御装置１は、当該表示された指令を選択装置（リモートコントローラ３０）により選択させる。
【００５２】
つぎに、上述した照明制御システムにおいて、ユーザの心理状態を入力するものについて説明する。この構成として、図１の選択部２２を利用した照明制御システムと、図６の照明制御システムとを説明する。
【００５３】
この照明制御システムは、図１に示した構成において、上述したように選択部２２に心理状態の入力部を含ませる。ユーザが自己の心理状態を入力する場合、照明制御システムは、表示部２１に心理空間１００を表示させる。このとき、照明制御システムは、縦軸が覚醒感であり横軸が快適感であることを表示することが望ましい。また、照明制御システムは、心理空間１００に配置された各指令の内容としての「気分」を表示させることが望ましい。
【００５４】
心理空間１００が表示された状態において、照明制御システムは、選択部２２によってユーザの現在の心理状態が入力される。表示部２１及び選択部２２がタッチパネルにより構成されている場合、選択部２２は、心理空間１００上における接触位置を検出する。選択部２２は、接触位置と心理空間１００上における座標位置との関係から、覚醒感の数値及び快適感の数値からなるユーザの現在の心理状態を入力することができる。照明制御システムは、図７に示すように、入力したユーザの現在の心理状態１０２を心理空間１００に重畳させて表示させることができる。また、照明制御システムは、現在の心理状態１０２であることがユーザに分かるように「今の気分」と表示することが望ましい。
【００５５】
以上のように、この照明制御システムは、ユーザの心理状態を入力する入力部（選択部２２）を有する。そして、インターフェース部１１は、入力部により入力した心理状態１０２を、当該心理状態に応じた心理空間１００中の座標位置に表示する。このような照明制御システムは、ユーザの心理状態を主観情報として心理空間１００に重畳して表示させることができ、現在の心理状態１０２から希望とする心理状態に移行する操作を直感的に行うことができる。したがって、この照明制御システムによれば、ユーザに現在の心理状態１０２を参照させた上で、ユーザの心理状態に合った照明シーンをより簡単に設定できる。
【００５６】
他の照明制御システムは、図６に示すように、ユーザの心理状態を入力するための検知部２３を備える。この検知部２３は、ユーザの現在の心理状態１０２を検知して、照明制御装置１に入力する。この検知部２３は、ユーザの生体情報を検知する。このユーザの生体情報としては、ユーザの指先脈波や表情が挙げられる。指先脈波を検出する場合、検知部２３は、指先センサからなる。表情を検出する場合、検知部２３は、カメラ装置からなる。なお、ユーザの生体情報としては、他の情報も含まれていてもよいことは勿論である。
【００５７】
検知部２３は、検知した生体情報に基づいてユーザの心理状態を検知する。検知部２３は、検知したユーザの心理状態を指令部１２に供給する。指令部１２は、検知部２３から供給されたユーザの心理状態を心理空間１００に重畳させて表示するようインターフェース部１１に心理状態を表す情報を供給する。この心理状態を表す情報は、上述したように数値化された覚醒感及び快適感である。これにより、インターフェース部１１は、検知部２３により検知した心理状態を、当該心理状態に応じた心理空間１００中の座標位置に表示する。
【００５８】
以上のように、この照明制御システムは、現在の心理状態１０２を心理空間１００に重畳して表示させることができ、現在の心理状態１０２から希望とする心理状態に移行するための照明器具２の操作を直感的に行うことができる。したがって、この照明制御システムによれば、上述した照明制御システムと同様に、ユーザに現在の心理状態１０２と比較させて、ユーザの心理状態に合った照明シーンをより簡単に設定できる。
【００５９】
上述したような現在の心理状態を入力する照明制御システムは、現在の心理状態１０２からユーザが希望する心理状態に移行するよう照明シーンを遷移させてもよい。
【００６０】
この照明制御システムの指令部１２は、入力された現在の心理状態１０２が入力された場合に、選択部２２により選択された指令を照明制御部１３に供給する前に、事前指令を照明制御部１３に供給する。この事前指令は、入力された現在の心理状態１０２と選択部２２により選択された指令が表す心理状態との間の心理状態を表す。この事前指令は、選択部２２により選択された最終的な指令の前に一又は複数存在してもよい。この事前指令は、現在の心理状態１０２に近い心理状態の指令を出力することが挙げられる。また、複数の事前指令がある場合、初期の事前指令は現在の心理状態１０２に近い心理状態の指令であり、その後の事前指令は、次第に最終的な指令に近づく心理状態の指令となる。
【００６１】
この照明制御システムは、例えば図８に示すように、現在の心理状態１０２が心理空間１００における左下象限であり、選択部２２によって「すっきり気分」の照明シーンが選択されたとする。この場合、照明制御システムの指令部１２は、「すっきり気分」の照明シーンとする指令１０１ａがインターフェース部１１から供給される。
【００６２】
指令部１２は、現在の心理状態１０２から最終的な指令である指令１０１ａまでの間に複数の事前指令としての指令１０１ｄ，１０１ｃ，１０１ｂを生成する。先ず、指令部１２は、指令１０１ｄに対応した照明シーンとなるように照明器具２の点灯状態となる指令を照明制御部１３に供給する。次に、指令部１２は、指令１０１ｃに対応した照明シーンとなるように照明器具２の点灯状態となる指令を照明制御部１３に供給する。次に、指令部１２は、指令１０１ｂに対応した照明シーンとなるように照明器具２の点灯状態となる指令を照明制御部１３に供給する。これにより、照明制御システムは、現在の心理状態１０２から、「癒しの気分」に対応した照明シーン、「映画館にいる気分」に対応した照明シーン、「だんらん気分」に対応した照明シーンとなるよう照明器具２を制御する。この後に、照明制御システムは、「すっきり気分」に対応した照明シーンに照明器具２を制御できる。
【００６３】
以上のように、この照明制御システムによれば、最終的な指令の前に事前指令を出力するので、急激に現在の心理状態１０２とは大きく異なる心理状態に対応した照明シーンに制御することを回避することができる。
【００６４】
また、この照明制御システムによれば、現在の心理状態１０２に近い照明シーンから段階的に照明シーンを遷移させて、選択部２２により選択された照明シーンまで変化させることができる。これにより、照明制御システムは、ユーザが選択した心理状態に対応した照明シーンに至るまで滑らかに照明シーンを誘導できる。
【００６５】
更に、上述した照明制御システムにおいて、選択部２２によって複数の指令を選択可能としてもよい。この照明制御システムは、選択部２２により選択される複数の指令と、当該複数の指令の照明制御部１３への供給順序とを記憶する記憶部を有する。この記憶部は、データベース部１４を利用することができる。この記憶部には、複数の指令と、当該複数の指令の供給順序とを対応させる。複数の指令が選択部２２により選択された場合、指令部１２は、選択された複数の指令を検索キーとして、データベース部１４に記憶された供給順序を取得する。これにより、指令部１２は、供給順序に従って複数の指令を照明制御部１３に供給する。
【００６６】
具体的には、図９に示すように、選択部２２によって、心理状態として「癒しの気分」から「すっきり気分」に移行する複数の指令１０３が選択されたとする。この選択された複数の指令１０３は、「癒しの気分」と「すっきり気分」との２つとは限られず、現在の心理状態１０２から「癒しの気分」、「癒しの気分」から「すっきり気分」を繋ぐ心理空間１００上の心理状態であってもよい。すなわち、複数の心理状態を繋ぐ連続的な座標位置が複数の指令１０３であってもよい。
【００６７】
このような照明制御システムは、複数の指令１０３が選択されると、インターフェース部１１から指令部１２に、最終的な指令である指令１０１ａまでの間に複数の事前指令としての指令が供給される。指令部１２は、各事前指令に対応した照明器具２の点灯状態となる指令をデータベース部１４から読み出して、照明制御部１３に供給する。これにより、照明制御装置１は、複数の指令１０３に従って次第に照明シーンを変化させることができる。
【００６８】
以上のように、この照明制御システムによれば、心理状態を変化させたい順序で複数の指令１０３を選択でき、ユーザの心理状態に合った照明シーンをより簡単に設定できる。
【００６９】
また、この照明制御システムは、インターフェース部１１をタッチパネルにより構成した場合、ユーザが指でなぞるように複数の指令１０３を選択できる。これにより、心理状態に対応する照明シーンを移行する操作を直感的に行うことができる。したがって、この照明制御システムによれば、ユーザの心理状態に合った照明シーンをより簡単に設定できる。
【００７０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００７１】
例えば、上述した心理空間１００に重畳される文字に関しては、図１０に示すように、ユーザが誰であるのか、ユーザの年齢といった属性に適した内容に自動的に変化させてもよい。例えば、気分の言い回し、フォント、サイズなどを変更してもよい。また、ユーザの属性は、カメラ等による個人認証などが利用できる。
【００７２】
特願２０１１−１８２１０５（出願日：２０１１年０８年２４日）の全内容は、ここに援用される。
【産業上の利用可能性】
【００７３】
本発明によれば、ユーザの心理状態を表す指令を心理空間に重畳させて表示してユーザに選択可能とするので、複数の照明器具が存在する場合であってもユーザが直感的に操作を行うことができる。したがって、本発明によれば、ユーザの心理状態に合った照明シーンを簡単に設定できる。
【符号の説明】
【００７４】
１  照明制御装置
２  照明器具
１１  インターフェース部
１２  指令部
１３  照明制御部
１４  データベース部
２１  表示部
２２  選択部
２３  検知部
３０  リモートコントローラ（照明制御用端末）
【図１】
0005842115.tif 000003
【図２】
0005842115.tif 000004
【図３】
0005842115.tif 000005
【図４】
0005842115.tif 000006
【図５】
0005842115.tif 000007
【図６】
0005842115.tif 000008
【図７】
0005842115.tif 000009
【図８】
0005842115.tif 000010
【図９】
0005842115.tif 000011
【図１０】
0005842115.tif 000012